(57)【要約】【課題】試料に複数の膜が含まれる場合であっても容易且つ的確に膜厚の計算結果を得ることができる膜厚計測方法及び膜厚計測装置を提供すること。【解決手段】光の透過率に差のある第１波長領域及び第２波長領域を有し、第１波長領域の方が第２波長領域よりも光の透過率が低い基準膜と、基準膜の一方側に形成された１又は複数の測定対象膜と、基準膜の他方側に形成された１または複数の測定対象膜と、を含む試料を用い、各測定対象膜の厚さを計測する膜厚計測方法であって、試料による光の反射率スペクトルを、第１波長領域の一部又は全部、及び第２波長領域の一部又は全部において測定し、第１波長領域における反射率スペクトルに基づいて、前記一方側に形成された各測定対象膜の厚さを計算し、前記一方側に形成された各測定対象膜の厚さと、第２波長領域における反射率スペクトルと、に基づいて、前記他方側に形成される各膜の厚さを計算する。【選択図】図５
2014055780.tif 000002
【特許請求の範囲】
【請求項１】
光の透過率に差のある第１波長領域及び第２波長領域を有し、前記第１波長領域の方が前記第２波長領域よりも光の透過率が低い基準膜と、前記基準膜の一方側に形成された１又は複数の測定対象膜と、前記基準膜の他方側に形成された１または複数の測定対象膜と、を含む試料を用い、前記各測定対象膜の厚さを計測する膜厚計測方法であって、
前記試料に前記一方側から光を照射する照射ステップと、
前記試料による前記光の反射率スペクトルを、前記第１波長領域の一部又は全部、及び前記第２波長領域の一部又は全部において測定する測定ステップと、
前記第１波長領域における反射率スペクトルに基づいて、前記一方側に形成された前記各測定対象膜の厚さを計算する第１計算ステップと、
前記一方側に形成された前記各測定対象膜の厚さと、少なくとも前記第２波長領域における反射率スペクトルと、に基づいて、前記他方側に形成される前記各膜の厚さを計算する第２計算ステップと、
を含むことを特徴とする膜厚計測方法。
【請求項２】
請求項１に記載の膜厚計測方法において、
前記第１波長領域及び前記第２波長領域は隣接する波長領域であり、それらの境界は光の透過率の変化に基づいて決定される、
ことを特徴とする膜厚計測方法。
【請求項３】
請求項１又は２に記載の膜厚計測方法において、
前記第２計算ステップは、前記一方側に形成された前記各測定対象膜の厚さを前記第１計算ステップにおいて計算された値とし、前記他方側に形成される前記各膜の厚さを未知のパラメータとする、理論反射率スペクトルを、前記測定ステップにより測定される反射率スペクトルにフィッティングさせることにより、前記未知のパラメータを算出する、
ことを特徴とする膜厚計測方法。
【請求項４】
請求項１又は２に記載の膜厚計測方法において、
前記第１計算ステップは、前記第１波長領域における反射率スペクトルに基づいて得られる波形の波長解析を行うとともに、解析により得られる波長成分に基づいて、前記一方側に形成された前記各測定対象膜の膜厚を決定し、
前記第２計算ステップは、前記第２波長領域における反射率スペクトルに基づいて得られる波形の波長解析を行い、解析により得られる波長成分のうち、前記第１計算ステップで得られるもの以外に基づいて、前記他方側に形成された前記各測定対象膜の膜厚を決定する、
ことを特徴とする膜厚計測方法。
【請求項５】
光の透過率に差のある第１波長領域及び第２波長領域を有し、前記第１波長領域の方が前記第２波長領域よりも光の透過率が低い基準膜と、前記基準膜の一方側に形成された１又は複数の測定対象膜と、前記基準膜の他方側に形成された１または複数の測定対象膜と、を含む試料を用い、前記各測定対象膜の厚さを計測する膜厚計測装置であって、
前記試料に前記一方側から光を照射する照射手段と、
前記試料による前記光の反射率スペクトルを、前記第１波長領域の一部又は全部、及び前記第２波長領域の一部又は全部において測定する測定手段と、
前記第１波長領域における反射率スペクトルに基づいて、前記一方側に形成された前記各測定対象膜の厚さを計算するとともに、前記一方側に形成された前記各測定対象膜の厚さと、少なくとも前記第２波長領域における反射率スペクトルと、に基づいて、前記他方側に形成される前記各膜の厚さを計算する計算手段と、
を含むことを特徴とする膜厚計測装置。
【発明の詳細な説明】
【技術分野】
【０００１】
本発明は膜厚測定方法及び膜厚測定装置に関し、特に、試料に照射した光の反射率スペクトルに基づいて、試料に含まれる膜の厚さを計算する膜厚測定方法及び膜厚測定装置に関する。
【背景技術】
【０００２】
複数の膜が積層された試料に白色光を照射すると、各膜界面で反射した光が互いに干渉する。そして、この干渉の波長依存性を観測することにより、各膜の厚さを得ることができる。具体的には、ＦＦＴ（First Fourier Transform）やカーブフィッティングなどの手法が適宜選択され、照射した光の反射率スペクトルから個々の膜厚が計算される。例えば、比較的厚い膜の計測においてはＦＦＴが用いられ、この方法では、実反射率スペクトルに所定の座標変換を施して得られる波形にＦＦＴを用いた波長解析が施され、そのピーク波長から膜厚が得られる。また、比較的薄い膜の計測においてはカーブフィッティングが用いられ、この方法では、パラメータ付きで表現された反射率スペクトルの理論式を、最小二乗法などの手法を用いて実反射率スペクトルにフィッティングさせることにより、理論スペクトルを実スペクトルに一致ないし近似させるパラメータが得られる。そして、このパラメータから膜厚が得られる。
【発明の概要】
【発明が解決しようとする課題】
【０００３】
ＦＦＴを用いる方法では、試料に複数の膜が含まれると、各膜の厚さに対応して複数のピーク波長が得られるが、どのピーク波長がどの膜の厚さに対応するかを特定が困難となる。また、限られた波長範囲及び解像度の実反射率スペクトルから一度のＦＦＴにより多くの膜の厚さを計算しようとすると、計算誤差も無視できなくなる。また、カーブフィッティングを用いる方法でも、試料に複数の膜が含まれると実反射率スペクトルが複雑な形状となり、その結果、十分な精度の計算結果を得るのが困難となる。
【０００４】
本発明は上記課題に鑑みてなされたものであって、その目的は、試料に複数の膜が含まれる場合であっても容易且つ的確に膜厚の計算結果を得ることができる膜厚計測方法及び膜厚計測装置を提供することにある。
【課題を解決するための手段】
【０００５】
上記課題を解決するために、本発明に係る膜厚計測方法は、光の透過率に差のある第１波長領域及び第２波長領域を有し、前記第１波長領域の方が前記第２波長領域よりも光の透過率が低い基準膜と、前記基準膜の一方側に形成された１又は複数の測定対象膜と、前記基準膜の他方側に形成された１または複数の測定対象膜と、を含む試料を用い、前記各測定対象膜の厚さを計測する膜厚計測方法であって、前記試料に前記一方側から光を照射する照射ステップと、前記試料による前記光の反射率スペクトルを、前記第１波長領域の一部又は全部、及び前記第２波長領域の一部又は全部において測定する測定ステップと、前記第１波長領域における反射率スペクトルに基づいて、前記一方側に形成された前記各測定対象膜の厚さを計算する第１計算ステップと、前記一方側に形成された前記各測定対象膜の厚さと、少なくとも前記第２波長領域における反射率スペクトルと、に基づいて、前記他方側に形成される前記各膜の厚さを計算する第２計算ステップと、を含む。
【０００６】
ここで、前記第１波長領域及び前記第２波長領域は隣接する波長領域であってよく、それらの境界は光の透過率の変化に基づいて決定されてよい。
【０００７】
また、前記第２計算ステップは、前記一方側に形成された前記各測定対象膜の厚さを前記第１計算ステップにおいて計算された値としてよく、前記他方側に形成される前記各膜の厚さを未知のパラメータとする、理論反射率スペクトルを、前記測定ステップにより測定される反射率スペクトルにフィッティングさせることにより、前記未知のパラメータを算出してよい。
【０００８】
また、前記第１計算ステップは、前記第１波長領域における反射率スペクトルに基づいて得られる波形の波長解析を行うとともに、解析により得られる波長成分に基づいて前記一方側に形成された前記各測定対象膜の膜厚を決定し、前記第２計算ステップは、前記第２波長領域における反射率スペクトルに基づいて得られる波形の波長解析を行い、解析により得られる波長成分のうち、前記第１計算ステップで得られるもの以外に基づいて、前記他方側に形成された前記各測定対象膜の膜厚を決定してよい。
【０００９】
また、本発明に係る膜厚計測装置は、光の透過率に差のある第１波長領域及び第２波長領域を有し、前記第１波長領域の方が前記第２波長領域よりも光の透過率が低い基準膜と、前記基準膜の一方側に形成された１又は複数の測定対象膜と、前記基準膜の他方側に形成された１または複数の測定対象膜と、を含む試料を用い、前記各測定対象膜の厚さを計測する膜厚計測装置であって、前記試料に前記一方側から光を照射する照射手段と、前記試料による前記光の反射率スペクトルを、前記第１波長領域の一部又は全部、及び前記第２波長領域の一部又は全部において測定する測定手段と、前記第１波長領域における反射率スペクトルに基づいて、前記一方側に形成された前記各測定対象膜の厚さを計算するとともに、前記一方側に形成された前記各測定対象膜の厚さと、少なくとも前記第２波長領域における反射率スペクトルと、に基づいて、前記他方側に形成される前記各膜の厚さを計算する計算手段と、を含む
【図面の簡単な説明】
【００１０】
【図１】本発明の実施形態に係る膜厚計測装置の構成図である。
【図２】波長領域の違いにより光の反射に違いが生じる様子を説明する図である。
【図３】反射率スペクトルの一例を示す図である。
【図４】基準膜の透過率の波長特性の一例を示す図である。
【図５】本発明の実施形態に係る膜厚計測装置の動作フローである。
【図６】反射率スペクトルの他の例を示す図である。
【図７】ＦＦＴによる解析結果の例を示す図である。
【発明を実施するための形態】
【００１１】
以下、本発明の実施形態について図面に基づき詳細に説明する。
【００１２】
図１は、本発明の実施形態に係る膜厚測定装置１０の構成図であり、同図に示す膜厚測定装置１０の説明を通じて、本発明に係る膜厚測定装置及び方法の一態様を説明する。
【００１３】
同図に示す膜厚測定装置１０は、試料１に照射する光を生成する光源１２と、試料１からの反射光のスペクトルを測定する分光器１４と、ＣＰＵなどの演算手段を含む演算部１６と、テンキーなどの入力手段を含む操作部１８と、ＦＰＤ（Flat Panel Display）などの表示手段を含む表示部２０と、を備えている。演算手段１６、操作部１８及び表示部２０としては、公知のパーソナルコンピュータが用いられてよい。
【００１４】
光源１２としては、広い波長範囲において出力特性が平坦な白色光源が好適であり、重水素ランプやタングステンランプなどを採用してよい。光源１２から出射される光はＹ型光ファイバ２２を介して該Ｙ型光ファイバ２２の先端部に取り付けられたプローブ２４にまで導かれる。Ｙ型ファイバ２２は、その基端側がＹ字状に二股に分かれた光ファイバであり、各分岐ファイバ２２ａ，２２ｂから入射される光を１つの光に結合し、先端から出射するとともに、先端から入射される光を２つの光に分離し各分岐ファイバ２２ａ，２２ｂから出射する機能を有する。
【００１５】
光源１２は、Ｙ型光ファイバ２２の一方の分岐ファイバ２２ａに結合されており、光源１２からの光はＹ型光ファイバ２２の先端に取り付けられたプローブ２４から出射し、試料１に対して垂直に照射される。また、試料１からの反射光はプローブ２４からＹ型光ファイバ２２に入射し、Ｙ型光ファイバ２２の他方の分岐ファイバ２２ｂに結合された分光器１４に導かれる。なお、光源１２からの光を試料１に導く光学系、及び試料１からの反射光を分光器１４に導く光学系は、上述のＹ型光ファイバ２２に限定されず、種々の光学系が採用されてよいのはもちろんである。
【００１６】
分光器１４では、試料１からの反射光のスペクトルを測定し、それを演算部１６に出力する。演算部１６は、分光器１４から出力される反射光のスペクトルを、既知の入射光のスペクトルで除算し、反射率のスペクトルを求める。そして、この反射率のスペクトルに基づいて、試料１に形成された各薄膜の膜厚を算出する。
【００１７】
ここで、試料１としては、図２に示すように、基準膜１ｃの一方側に測定対象膜１ａが形成され、他方側にも測定対象膜１ｂが形成されているものが用いられる。ここで、基準膜１ｃは、光の透過率に差のある第１波長領域及び第２波長領域を有している。具体的には、第１波長領域の方が第２波長領域よりも光の透過率が低く、ここでは第１波長領域における光の透過率は十分に小さく、不透明と見なせる。また、第２波長領域における光の透過率は十分に大きく、透明又は半透明と見なせる。このような基準膜の例としては、ＰＥＴ（ポリエチレン・テレフタレート）フィルムを用いることができる。ＰＥＴフィルムは、所定波長（約３３０ｎｍ）以下の光に対して、ほぼ不透明となる性質を有することが判っており、基準膜１ｃとして適しているが、もちろん本発明に係る基準膜１ｃは、ＰＥＴフィルムに限定されず、他の種類の樹脂、半導体、ガラス、サファイア、石英などの他の材料を用いて形成された膜であってよい。
【００１８】
以下では、基準膜１ｃとして０．１ｍｍのＰＥＴフィルムが用いられ、その表側の面に測定対象膜１ａとして透明電極膜ＩＴＯが形成され、裏側の面に測定対象膜１ｂとして反射防止膜ＳｉＯ２が形成されたものを、試料１の例として取り上げる。
【００１９】
上述のように、本実施形態においては第１波長領域において基準膜１ｃの透過率は十分に小さいので、図２（ａ）に示すように、試料１に対して表側から入射した光は、表側に形成された薄膜１ａの表裏（雰囲気層と表側の薄膜との界面、表側の薄膜と基準膜との界面）で反射するものの、ＰＥＴ等の基準膜１ｃに進入した光は同基準膜１ｃにて吸収される。このため、裏側に形成された薄膜１ｂの表裏での反射光は表側で観測されない。
【００２０】
一方、図２（ｂ）に示すように、第２波長領域では試料１に対して表側から入射した光は、表側に形成された薄膜１ａの表裏（雰囲気層と表側の薄膜との界面、表側の薄膜と基準膜との界面）で反射する。さらに、表側から入射した光の一部はＰＥＴ等の基準膜１ｃを透過し、裏側に形成された薄膜１ｂの表裏（裏側の薄膜と基準膜との界面、雰囲気層と裏側の薄膜との界面）で反射する。
【００２１】
つまり、反射率スペクトルのうち、第１波長領域内のスペクトルは、表側の薄膜構造のみを反映したものとなっており、第２波長領域内のスペクトルは、表側及び裏側の両方の薄膜構造を反映したものとなっている。本実施形態では、演算部１６において、先に、第１波長領域内の反射率スペクトルのみを用いて表側の薄膜１ａの光学膜厚を計算する。そして、それを既知の薄膜１ａの屈折率で除算することにより膜厚を得る。なお、ここでは試料１に形成される各膜１ａ〜１ｃの材質及び屈折率は、いずれも既知であるものとする。
【００２２】
その後、演算部１６では、第２波長領域内の反射率スペクトルに加えて、先に計算した表側の薄膜１ａの膜厚も考慮して、裏側の薄膜１ｂの光学膜厚を計算する。そして、それを既知の薄膜１ｂの屈折率で除算することにより膜厚を得る。
【００２３】
図３は、試料１に対する計測により得られる反射率スペクトルの一例である。また、図４は、試料１に含まれる基準膜１ｃの透過率の波長特性を示す図である。図４に示すように、試料１に含まれる基準膜１ｃは、第１波長領域Ａ及び第２波長領域Ｂの境界である波長Ｘにおいて透過率が大きく上昇しており、Ｘ以上の波長領域（第２波長領域Ｂ）では基準膜は透明又は半透明と見なせる。一方、Ｘ未満の波長領域（第１波長領域Ａ）では、基準膜１ｃの透過率は十分に小さく、不透明と見なせる。
【００２４】
そこで本実施形態では、図３に示される反射率スペクトルにおいて、Ｘ未満の波長領域（第１波長領域Ａ）に属する反射率スペクトルだけを用いて、カーブフィッティングの方法により、表側に形成された薄膜１ａの膜厚を計算している。具体的には、反射率スペクトルの理論式において、表側の薄膜１ａの膜厚を未知パラメータとし、反射率スペクトルの理論カーブが、図３に示される第１波長領域Ａに属する反射率スペクトルのカーブに一致するよう、未知パラメータを算出する。この計算は、例えば最小二乗法などの公知の手法により、容易に実現できる。これにより、薄膜１ａの厚さを得ることができる。例えば、ｎ層からなる多層膜（ｎ＞３）の反射率スペクトルの理論式を予め用意しておき、第１層（薄膜１ａ）の膜厚を未知パラメータに設定し、第２層（基準膜１ｃ）の膜厚を、既知であれば実際の膜厚又は未知であれば適当な値（例えば０．１ｍｍ）に設定し、第３層（薄膜１ｂ）の膜厚を適当な値（例えば１００ｎｍ）に設定する。第４層以降は、空気層（雰囲気層）として適当な膜厚の値（例えば１００ｍｍ）を設定する。また、各層の屈折率及び消衰係数は、その材料に応じて選択される、既知の波長の関数である。第１波長領域Ａにおいては、基準膜１ｃは実質的に不透明であり、その消衰係数は十分に大きい値となる。このため、反射率スペクトルの理論式は、実質的には、第３層より下の層の物理パラメータに依存しない。そして、この理論式が示すカーブが、図３に示される第１波長領域Ａに属する反射率スペクトルのカーブに一致するよう、未知パラメータを算出することにより、薄膜１ａの膜厚を得ることができる。なお、多層膜の反射率スペクトルの理論式は、現在までに多くの種類が既に公知となっており、どれを用いてもよい。
【００２５】
その後、得られた薄膜１ａの膜厚、及びＸ以上の波長領域（第２波長領域Ｂ）に属する反射率スペクトルを用いて、カーブフィッティングの方法により、裏側に形成された薄膜１ｂの膜厚を計算する。具体的には、反射率スペクトルの理論式において、表側の薄膜１ａの膜厚を既知パラメータとして、すでに得られた膜厚の値を採用し、裏側の薄膜１ｂの膜厚を未知パラメータとする。そして、反射率スペクトルの理論カーブが、図３に示される第２波長領域Ｂに属する反射率スペクトルのカーブに一致するよう、未知パラメータを算出する。なお、第２波長領域Ｂに属する反射率スペクトルスペクトルのカーブに加えて、第１波長領域Ａの一部又は全部に属する反射率スペクトルのカーブにも一致するよう、未知パラメータを算出してもよい。これにより、薄膜１ｂの厚さを得ることができる。この計算も、例えば最小二乗法などの公知の手法により、容易に実現できる。上述した、ｎ層からなる多層膜（ｎ＞３）の反射率スペクトルの理論式を用いる場合、第１層（薄膜１ａ）の膜厚を既に得られた値に変更し、第３層（薄膜１ｂ）の膜厚を未知パラメータに変更すればよい。その他の物理パラメータは同じのままでよい。なお、演算部１６には、操作部１８を用いてユーザが第１波長領域Ａ及び第２波長領域Ｂの境界の値Ｘを入力してよい。或いは、演算部１６は、基準膜１ｃの透過率の波長特性を参照し、透過率が第１の所定値以下である領域を第１波長領域Ａとして、透過率が第２の所定値以上である領域を第２波長領域Ｂとして、自動的に選定してもよい。なお、第１波長領域Ａ及び第２波長領域Ｂは、連続する領域である必要はなく、互いに離間した領域であってもよい。
【００２６】
図５は、本膜厚測定装置１０の動作フロー図である。同図に示すように、まず試料１の反射率スペクトルを第１波長領域Ａ及び第２波長領域Ｂの両方を含む広範囲な波長領域にて測定する（Ｓ１０１）。具体的には、演算部１６は光源１２を制御し、試料１に白色光を照射し、分光器１４は反射光のスペクトルを計測する。また、演算部１６は、反射光のスペクトルを入射光のスペクトルで除算することにより、反射率スペクトルを計算する。
【００２７】
次に、Ｓ１０１で得られた反射率スペクトルのうち、第１波長領域Ａの部分を切り出す（Ｓ１０２）。そして、切り出した第１波長領域Ａの反射率スペクトルに基づき、表側の薄膜１ａの厚さをカーブフィッティングの方法により計算する（Ｓ１０３）。
【００２８】
さらに、Ｓ１０１で得られた反射率スペクトルのうち、第２波長領域Ｂの部分を切り出す（Ｓ１０４）。そして、第２波長領域Ｂの反射率スペクトル、及びＳ１０３で得られた表側の薄膜１ａの厚さに基づき、カーブフィッティングの方法により裏側の薄膜１ｂの厚さを計算する（Ｓ１０５）。その後、Ｓ１０３で得られた表側の薄膜１ａの厚さ、及びＳ１０５で得られた裏側の薄膜１ｂの厚さを、表示部２０により表示させる（Ｓ１０６）。
【００２９】
以上説明した膜厚測定装置１０によれば、表側の薄膜１ａの厚さを、第１波長領域Ａにおける反射率スペクトルを用いて算出し、その計算結果、及び第２波長領域Ｂにおける反射率スペクトルを用いて、裏側の薄膜１ｂの厚さを算出する。この結果、基準膜１ｃの透過率の波長特性を考慮しつつ、広範囲な波長領域における反射率スペクトルに基づき、薄膜１ａ及び１ｂの膜厚を一度に計算するのに比して、十分な精度の膜厚の計算結果を容易に得ることができる。
【００３０】
なお、本発明は上記実施形態に限定されず、種々の変形実施が可能である。例えば、本発明は、基準膜１ｃの表裏に形成された２つの薄膜１ａ，１ｂの厚さを計算する場合のみならず、基準膜１ｃの表側及び裏側のいずれか少なくとも一方に２以上の薄膜が形成されている場合にも、同様に適用できる。例えば、ＰＥＴフィルムを基準膜とし、その表側に易接着層及び透明電極層ＩＴＯの２層が形成され、その裏側に易接着層及び反射防止膜ＳｉＯ２の２層が形成されているような試料に対しても、本発明は同様に適用できる。この場合、基準膜が不透明となる波長領域における反射率スペクトルを用いて、カーブフィッティングの方法により、表側の易接着層及び透明電極層ＩＴＯの膜厚を計算する。その後、その計算結果（表側の易接着層及び透明電極層ＩＴＯの膜厚）、及び少なくとも基準膜が透明又は不透明となる波長領域における反射率スペクトルを用いて、カーブフィッティングの方法により、裏側の易接着層及び反射防止膜ＳｉＯ２の膜厚を計算する。このように、基準膜の表側又は裏側のいずれか少なくとも一方に２以上の薄膜が形成されている場合であっても、本発明は同様に適用できる。
【００３１】
また、以上の説明では、反射率スペクトルから膜厚を得るのに、カーブフィッティングの方法を用いたが、他の計算方法を用いてもよい。例えば、基準膜が不透明となる波長領域における反射率スペクトルや、透明又は半透明となる波長領域における反射スペクトルに、ピーク及びバレーが明瞭に表れている場合には、カーブフィッティングの方法によらず、ピークバレー法やＦＦＴ法を用いることができる。
【００３２】
例えば、ＰＥＴフィルムを基準膜とし、その表側及び裏側に比較的膜厚の大きいハードコート膜が形成されている試料に対する反射率スペクトルには、図６に示すように、Ｘ未満の波長領域である第１波長領域Ａにおいても、Ｘ以上の波長領域である第２波長領域Ｂにおいても、十分な数のピーク及びバレーが含まれる。こうした場合、図７において破線で示されるように、まず第１波長領域Ａの反射率スペクトルを用いてＦＦＴパワー値のカーブを得て、そのピークから光学膜厚の値Ｑを得る。この値Ｑは、表側に形成されたハードコート膜の光学膜厚と判断できる。次に、同図において実線で示されるように、第２波長領域Ｂの反射率スペクトルを用いてＦＦＴパワー値のカーブを得て、そのピークから光学膜厚の値Ｐ及びＱ（又はＱに近い値）を得る。この場合、２つの光学膜厚の値Ｐ及びＱが得られるが、このうち、表側に形成されたハードコート膜の光学膜厚と判断された値Ｑと同じ、或いは最も近い値を無視し、残った値Ｐを裏側に形成されたハードコート膜の光学膜厚と判断する。なお、第２波長領域Ｂの反射率スペクトルを用いてＦＦＴパワー値のカーブを得る場合、光学膜厚の値Ｐに対応する波形は第１波長領域Ａに含まれないことから、第２波長領域Ｂの反射率スペクトルのみを用い、第１波長領域Ａの反射率スペクトルを用いないことが望ましい。このように、他の計算方法を用いて反射率スペクトルから膜厚を得る場合にも、本発明は同様に適用できる。
【符号の説明】
【００３３】
１０  膜厚計測装置、１２  光源、１４  分光器、１６  演算部、１８  操作部、２０  表示部、２２  Ｙ型光ファイバ、２４  プローブ、Ａ  第１波長領域、  Ｂ  第２波長領域。
【図１】
2014055780.tif 000003
【図２】
2014055780.tif 000004
【図３】
2014055780.tif 000005
【図４】
2014055780.tif 000006
【図５】
2014055780.tif 000007
【図６】
2014055780.tif 000008
【図７】
2014055780.tif 000009